(57)【要約】      （修正有）【課題】高齢者が終の住まいとして居住し、津波や洪水警報発令時には家族も収容し、被災時には浮揚して生命を守り、被災後は継続して居住できる息災延命浮揚箱を提供する。【解決手段】飲料水タンク２０による二重船底構造の台船３の上に、集成材と断熱材と金属板を接合した複層板を接着剤と連結金物で施工した強固な船室４を設置し、複層ポリウレア樹脂３７と断熱不燃塗料４３で被覆して衝撃性能と環境性能と耐火性能を強化し、地震やミサイル破片落下物に耐える防災シエルタ−として使用し、木の香りが漂う室内に高齢者介護用の設備機器、天井部１５にＡｉスピ−カ−カメラ５７等の通信機器と高齢者４７の腕に身体状況を把握するウェアラブル端末を装着してＩｏＴに接続して、家族が職場に勤務しながらスマホで観察し、何かがあると、在宅医療支援病院、介護支援業者と密接に連携して対応することで、介護による家族の離職を防ぐ。水害の被災時は水面には浮揚して、国民の生命と財産を守る。【選択図】図８
0003216207.tif 000002
【実用新案登録請求の範囲】
【請求項１】
鋼板をＬ形に折り曲げた二本の舷側板（３０）を平行に配置して、直交する方向で両端に舷渡板（３１）を配置して、船底部（９）の側に平鉄の船底梁（３３）を前記舷渡板（３１）と平行に配置し、前記舷渡板（３１）と前記船底梁（３３）との間、並びに前記船底梁（３３）相互の間を連結する平鉄の間張材（１６）を配置し、船底部（９）を船底鉄板（３４）で塞いで溶接して台船（３）の外枠を構成し、
前記台船（３）の高さ１／４前後の船倉（５）内の位置で、前記舷側板（３０）と前記舷渡板（３１）の水平方向に山形鋼の床受材（２５）を、前記舷側板（３０）と平行に山形鋼の竜骨材（３５）、前記舷渡板（３１）と平行に平鉄の間張材（１６）を配置し、前記船底梁（３３）と前記竜骨材（３５）の間を山形鋼の縦繋材（２１）で繋いで、息災延命浮揚箱（１）の転覆防止を兼ねる飲料水タンク（２０）となる空間部を設けて上床鉄板（３６）で塞いで溶接することで二重船底構造とし、全体に防錆用の溶融亜鉛メッキ処理を施した台船（３）の上に船室（４）設置したことを特徴とする息災延命浮揚箱。
【請求項２】
スギ・ヒノキの集成板又は直交集成板（２７）と断熱板（２８）と金属板（２９）との接合部に接着剤（３２）を塗布し圧締して接着した桁復層板（１０）と妻複層板（１１）と甲板複層板（１２）、若しくはスギの積層板（２７Ａ）と前記金属板（２９）との間又は前記金属板（２９）相互の間にポリウレタン発泡剤（４５）を注入して発泡させて接着した前記桁複層板（１０）と前記妻複層板（１１）と前記甲板複層板（１２）とで構成される前記船室（４）は、
前記舷側板（３０）と前記桁複層板（１０）並びに前記舷渡板（３１）と前記妻複層板（１１）の水平方向の固定は、前記舷側板（３０）と前記舷渡板（３１）の室内部（７）にボルト（４０）を溶接し、前記桁複層板（１０）と前記妻複層板（１１）下側の接合部に前記ボルト（４０）を挿入する抜き孔（１７）を穿ち、前記接着剤（３２）を塗布し前記ボルト（４０）に挿入して突き出し、平鉄に抜き孔（１７）を穿った固定部材（２２）に前記接着剤（３２）を塗布し、前記固定部材（２２）を挿入しナット（４４）を締めつけて固定、又は前記舷側板（３０）と前記舷渡板（３１）に抜き孔（１７）を穿ち、前記接着剤（３２）を塗布し、前記舷側板（３０）と前記舷渡板（３１）の室外部（６）からコ−チボルト（６６）で締めつけた固定と、
前記桁複層板（１０）両端と前記妻複層板（１１）両端の縦方向の固定は、前記桁複層板（１０）と前記妻複層板（１１）の接合部に前記接着剤（３２）を塗布し、前記室内部（７）縦方向に山形鋼に前記抜き孔（１７）を穿った連結部材（２３）に前記接着剤（３２）を塗布しコ−チボルト（６６）で締めつけた固定と、
前記桁複層板（１０）と前記妻複層板（１１）の上端と前記甲板複層板（１２）下側縁部との水平方向の固定は、前記桁複層板（１０）と前記妻複層板（１１）の接合部に前記接着剤（３２）を塗布して、前記室内部（７）上面水平方向に前記連結部材（２３）に前記接着剤（３２）を塗布して配置し、前記コ−チボルト（６６）で締めつけ固定して組み立てられた前記船室（４）を前記台船（３）の上に設置したことを特徴とする請求項１記載の息災延命浮揚箱。
【請求項３】
前記台船（３）上に前記桁複層板（１０）と前記妻複層板（１１）と前記甲板複層板（１２）による前記船室（４）の室外部（６）縦方向と水平方向の出隅部に、金属板を折り曲げた出隅部材（２４）にスクリュ−釘（４９）を打ち込んで固定し、
前記室外部（６）と前記甲板部（８）の全面にプライマ−（４２）処理を施して、一層目のタフポリマ−を配合したポリウレア樹脂又はウレタンウレア樹脂（１８）を塗装して硬化した塗膜面に直接傘クギ（２６）又は丸形座金（４６）に前記スクリュ−釘（４９）を挿入して前記室外部（６）と前記甲板部（８）に打ち込んで固定し、
二層目のタフポリマ−を配合したポリウレア樹脂又はウレタンウレア樹脂（１８）を塗装して前記傘クギ（４８）又は前記丸形座金（４６）と前記スクリュ−釘（４９）を挿んで前記一層目のポリウレア樹脂又はウレタンウレア樹脂（１８）と一体となって硬化した、複層ポリウレア樹脂又はウレタンウレア樹脂（３７）の塗膜上に、断熱不燃塗料（４３）を塗装して保護し、耐衝撃性能と耐環境性能と耐火性能を大幅に強化させたことを特徴とする請求項１又は請求項２記載の息災延命浮揚箱。
【請求項４】
前記船室（４）の前記桁複層板（１０）又は前記桁妻層板（１１）に防水扉（５０）と防水窓（５４）、前記甲複層板（１２）に脱出口（５９）を設置し、室内部（７）には高齢者（４７）用のトイレ（５１）と洗面台（５２）と浴槽（５６）の衛生設備、介護用の電動ベット（５３）と電動移動介助装置（５５）の介助用機器を設置し、
天井部（１５）にはＡＩスビ−カ−カメラ（５７）や通信装置を設置し、前記高齢者（４７）の腕に健康状態を測定するウエアラブル端末を装着してＩｏＴに接続し、前記高齢者（７）の状況を把握し、前記高齢者（７）の身体に何かがあると、在宅医療支援病院及びに在宅介護サ−ビス支援業者と密接に連携して対応し、
津波や洪水警報の発令時は、前記息災延命浮揚箱（１）の前記船室（４）内に家族や近隣住民を収容し、津波や洪水の被災時は前記息災延命浮揚箱（１）が水面へ浮揚し、
浮揚中の甲板部（８）では波間を漂う被災者の水難救助活動や一時待機場所に使用することを特徴とする請求項１から求項３のいずれか一項に記載の息災延命浮揚箱。
【考案の詳細な説明】
【技術分野】
【０００１】    本考案は資源と環境の制約下における持続可能な発展を目指し、高齢化社会・経済システムの基礎となる幸福の指標、および将来の世代に対する高齢者の福祉環境の構築と、自然災害による被害を低減するための削減方法を提案し、併せて、過疎地域の社会的不平等と格差の是正を実現することで、社会的弱者である、過疎地域の高齢者を支えるコミニュティのあり方と高齢化による社会福祉を追求した、次世代に承継できる息災延命浮揚箱の製造ノウハウを確立して、中山間地域を活性化し地方を再生する製造技術の分野。
【背景技術】
【０００２】    日本国土面積の約７０％は森林に覆われており、そのうち約４０％は木材生産のため４０年から５０年前に植林された人工林が占め、現在その人工林の約８０％が間伐を必要としている。スギ及びヒノキの間伐材は搬出するコストが木材の材価で賄えないこと、適切な利用法が無いため山林内に放置されたままで山林崩壊を促進させている。地域を再生する新たな活用方法として、息災延命浮揚箱の製造で間伐材を大量に使用するため、地域の住民に現金収入が得られ、木材産業の創出で新たな雇用を創出して、中山間地域に都市の若者や健康な高齢者が移り住み、中山間地域を再生させる製品開発が必要であった。【０００３】    日本書紀や古事記では、須佐之男命がスギで船を造りヒノキで神社を造るよう神話に記述され植林を奨励されている。山林資源の維持と良質のスギやヒノキを生産育成する間伐作業で伐採された、スギやヒノキの間伐材を山林から搬出して有効に利用する。更に、過疎化が急速に進行する中山間地域の山林に放置されたスギ及びヒノキの間伐材を有効に利用し、特別な技術や特殊な木工機械を必要とせず、中山間地域で先達の木工経験者が指導し、移住した若者や女性、地域の居住者が日曜大工程度の習得した木工技術と汎用の電動工具を使用して、息災延命浮揚箱が簡単にできる製造技術が要望されていた。【０００４】    平成１６年１２月２６日マレ−シア沖で発生した海底大地震に伴い発生した津波によりインド洋沿岸諸国の海岸部では、過去未曾有の十数万人前後の大量溺死者が発生した。また、平成２３年３月１１日三陸沖の海底大地震に伴って発生した大津波により２万人以上に及ぶ大量溺死者が発生したことは記憶に新しく、その対策として政府は総合防災ハザ−ドマップの作成と、３種類の避難準備情報・避難勧告・避難指示などの情報や警報を発令し指定した避難所に避難するよう指示、併せて津波による浸水想定区域が発表された。しかし避難する手段として徒歩・自転車・車両による移動で指定された避難所に避難するには、高齢者や身体障害者は体力の限界や距離が長い場合は車両停滞による大混雑が予想され、また予想される津波の潮位を正確に特定することができず、高台の避難所に避難していてもそれ以上の津波に被災した場合には、更に多くの溺死者を出すことが危惧されているために完璧な避難対策とは言えずその対処方法が要求されていた。【０００５】    この教訓を踏まえて今後発生が予想される南海トラフ地震では、最大高さが３５ｍの津波が発生し、その到達時間は静岡県・和歌山県・高知県は３分以内、三重県・徳島県は５分以内、愛知県は９分以内、愛媛県・大分県・宮崎県は２０分以内で到達し、推定死傷者数３３万人でそのうち津波死者数２３万人と公表された。高齢者や身体障害者は体力的限界があり避難することすら困難である。このために、居住地で短時間に移動して津波から尊い命を守る対策を早急に実施することが必要である。旧約聖書の創世記に登場する大洪水でアララト山に漂着したノアの方舟を現代に蘇らせた、息災延命浮揚箱により自然の猛威に逆らわずに人命を守り、被災後も息災延命浮揚箱が破損せず、被災地で最も必要な飲料水を提供でき、継続して高齢者の在宅介護に使用出来る方法が要望されてい��。【０００６】    急速に高齢化が進行し、団塊の世代が全て後期高齢者となるため、医療と介護の連携による、地域医療構想を柱として「治す医療」から「治し・支える医療」・「病院・施設型」から「地域・在宅型」に改革して、質の高い医療の実現による、地域包括ケアシステムが構築されつつあり、高齢者を在宅介護するには自宅の段差解消、浴室や衛生設備の大幅な改善、ヒートショック対策が必要でその費用も高額で困難であったが、自宅に設置するだけで高齢者を在宅介護する事ができる息災延命浮揚箱が要望とされていた。【０００７】    耐衝撃性の高い合成樹脂製の船を重ねて接合した上下同一形状で転覆を前提にして反転機能を有した津波避難シェルタ−が提案されている（例えば、特許文献１参照）この方法は、津波による転覆を予想し上下同一形状に製作されたもので、収容者の出入りが困難であり、転覆による収容者の安全性が全く考慮されていないことであった。【０００８】    また、ガラス繊維強化樹脂で成形されフランジ部で接合した津波対策用シェルタ−が提案されている（例えば、特許文献２参照）この方法はガラス繊維強化樹脂で成形され筐体が脆弱で、建物の倒壊や漂流物との衝突で破損し、火災に遭遇すると燃えるため安全対策が要望されていた。【０００９】    同様に、ガラス繊維強化樹脂で成形されフランジ部で接合した津波対策用シェルタ−が提案されている（例えば、特許文献３参照）この方法でガラス繊維強化樹脂で成形され筐体が弱く、建物の倒壊や漂流物との衝突で破損し、火災に遭遇すると燃えるため防火対策が要望されていた。
【先行技術文献】
【特許文献】
【００１０】
【特許文献１】特開２０１３−８６７８９号公報
【特許文献２】特開２０１４−１５９２１８公報
【特許文献３】特許５５７９３３６号公報
【考案の概要】
【考案が解決しようとする課題】
【００１１】    本考案は、従来の様々な問題点を解決すべきなされたもので、移動や設置が簡単で、津波・高潮・洪水の発生時は、室内に避難して直ちに浮揚し、津波や横波を被っても沈没せず、船舶や燃え盛る漂流物と衝突しても破損して燃えず、浮揚中の甲板上では水面を漂い溺れる被災者の人命救助ができ、地震による落下物やミサイル飛来によるＪアラ−ト警報後にパトリオットＰＡＣ−３防衛による上空で迎撃されたミサイル破片による落下物に耐えられる防災シェルタ−としての性能を有し、国民の生命と財産が守れる息災延命浮揚箱が必要であった。
【課題を解決するための手段】
【００１２】    上記目的を達成するための第一の解決手段は、鋼板をＬ形に折り曲げた二本の舷側板を平行に配置して、直交する方向で両端に舷渡板を配置し、船底部の側に平鉄の船底梁を舷渡板と平行に配置し、舷渡板と船底梁との間、並びに船底梁相互の間を連結する平鉄の間張材を配置し、船底部を船底鉄板で塞いで溶接して台船の外枠を構成する、台船の高さ１／４前後の船倉内位置で、舷側板と前記舷渡板の水平方向の四方に山形鋼の床受材を、舷側板と平行に山形鋼の竜骨材、舷渡板と平行に平鉄の間張材を配置し、船底梁と竜骨材の間を山形鋼の縦繋材で繋いで、息災延命浮揚箱の転覆防止用のバラストを兼ねる飲料水タンクとなる空間部を設けて上床鉄板で塞いで溶接することで二重船底構造とし、全体に台船を防錆する溶融亜鉛メッキ処理を施す。【００１３】    上記目的を達成するための第二の解決手段は、スギ・ヒノキの集成板又は直交集成板と断熱板と金属板との接合部に接着剤を塗布し圧締させて接着した桁復層板と妻複層板と甲板複層板、若しくはスギの積層合板と金属板との間にポリウレタン発泡剤を注入して発泡させて接着した桁複層板と妻複層板と甲板複層板とで構成される船室は、舷側板と桁複層板、並びに舷渡板と妻複層板の水平方向の固定は、舷側板と舷渡板の室内部にボルトを溶接し、桁複層板と妻複層板の下側接合部にボルトを挿入する抜き孔を穿ち、接着剤を塗布しボルトに挿入して突き出し、平鉄に抜き孔を穿った固定部材に接着剤を塗布し、固定部材を挿入しナットで締めつけて固定、又は舷側板と舷渡板に抜き孔を穿ち、接着剤を塗布し舷側板と舷渡板の室外部からコ−チボルトで締めつけて固定する。【００１４】    桁複層板両端と妻複層板両端の縦方向の固定は、桁複層板と妻複層板の接合部に接着剤を塗布し、室内部縦方向に山形鋼に抜き孔を穿った連結部材に接着剤）を塗布しコ−チボルトで締めつけた固定と、桁複層板と妻複層板の上端と甲板複層板の下側縁部との水平方向の固定は、桁複層板と妻複層板の接合部に接着剤を塗布して、室内部上面水平方向に連結部材に接着剤を塗布して配置し、コ−チボルトで締めつけ固定して組み立てられた堅固な船室を台船の上に設置する。【００１５】    上記目的を達成するための第三の解決手段は、台船上に桁複層板と妻複層板と甲板複層板による堅固な船室の室外部縦方向と水平方向の出隅部に、金属板を折り曲げた出隅部材をスクリュ−釘で固定と、室外部と甲板部の全面にプライマ−処理を施して、一層目のポリウレア樹脂又はウレタンウレア樹脂を塗装して硬化させた塗膜面に直接傘クギ又は丸形座金にスクリュ−釘を挿入して室外部と甲板部に打ち込んで固定し、二層目のポリウレア樹脂又はウレタンウレア樹脂を塗装して、傘クギ又は丸形座金とスクリュ−釘を挿んで一層目のポリウレア樹脂又はウレタンウレア樹脂と一体となって硬化した、複層ポリウレア樹脂又はウレタンウレア樹脂の塗膜上に、断熱不燃塗料を塗装して保護し、息災延命浮揚箱の耐衝撃性能と耐環境性能と耐火性能を大幅に強化させる。【００１６】    上記目的を達成するための第四の解決手段は、台船に設置したヒノキの香が漂う船室の桁複層板に防水扉と防水窓、甲板部に脱出口を設置し、室内部に高齢者介護用のトイレと洗���台と浴槽などの衛生設備と介助用の電動ベットと電動移動介助装置などの介助用機器を設置し、天井部にＡＩスピ−カ−カメラなどの通信機器を設置し、高齢者の腕に健康状態を測定するウエアラブル端末を装着してＩｏＴに接続することで、家族が職場に勤務しながらスマ−トホンで高齢者の状況を把握することができるため、高齢者の身体に何かがあると、在宅医療支援病院及び在宅介護サ−ビス支援業者と密接に連携して対応できるため、安心して高齢者の在宅介護が出来ることで、在宅介護による家族の離職を防げる。津波や洪水警報の発令時は、家族や近隣住民を収容して保護し、水害の被災時には、息災延命浮揚箱が直ちに水面に浮き上がって、生命と財産を守る。【００１７】    上記目的を達成するための第一の解決手段による作用は、鋼板をＬ形に折り曲げた二本の舷側板を平行に配置して、直交する方向で両端に鋼板をＬ形に折り曲げた二本の舷渡板を配置し、船底部の側に平鉄の船底梁を舷渡板と平行に配置し、舷渡板と船底梁との間、並びに船底梁相互の間を連結する平鉄の間張材を配置し、船底部を船底鉄板で塞いで溶接して台船の外枠を構成する、台船の高さ１／４前後の船倉内の位置で、舷側板と前記舷渡板の水平方向に山形鋼の床受材を、舷側板と平行に山形鋼の竜骨材、舷渡板と平行に平鉄の間張材を配置し、船底梁と竜骨材の間を山形鋼の縦繋材で繋いで、息災延命浮揚箱が漂流中に津波や横波を受けてもの転覆や沈没を免れる転覆防止のバラストを兼ねる、飲料水タンクとなる空間部を設けて上床鉄板で塞ぎ溶接することで安全な二重船底構造とし、台船の全体に溶融亜鉛メッキ処理を施して、海水による錆や腐食を防止する。【００１８】    上記目的を達成するための第二の解決手段による作用は、スギ・ヒノキの板材を接着した集成板、又はスギ・ヒノキの板材を交差させて接着した直交集成板と断熱板と金属板との接合部に接着剤を塗布し圧締させて接着した桁復層板と妻複層板と甲板複層板、若しくはスギ丸太をスライスした薄板材を互い違いに積み重ねて接着した積層合板と金属板との間、又は金属板相互の間にポリウレタン発泡剤を注入して発泡させて接着した桁複層板と妻複層板と甲板複層板とで構成される船室は、舷側板と桁複層板、並びに舷渡板と妻複層板の水平方向の固定は、舷側板と舷渡板の室内部にボルトを溶接し、桁複層板と妻複層板の下側接合部にボルトを挿入する抜き孔を穿ち、接着剤を塗布しボルトに挿入して突き出し、平鉄に抜き孔を穿った固定部材に接着剤を塗布し、突き出たボルトに固定部材を挿入し、ナットで締めつけて固定、又は舷側板と舷渡板に抜き孔を穿ち、接着剤を塗布して舷側板と舷渡板の室外部からコ−チボルトで締めつけて台船に固定する。【００１９】    桁複層板両端と妻複層板両端の縦方向の固定は、桁複層板と妻複層板の接合部に接着剤を塗布し、室内部縦方向に山形鋼に抜き孔を穿った連結部材に接着剤）を塗布しコ−チボルトで締めつけた固定と、桁複層板と妻複層板の上端と甲板複層板の下側縁部との水平方向の固定は、桁複層板と妻複層板の接合部に接着剤を塗布して、室内部上面水平方向に連結部材に接着剤を塗布して配置し、コ−チボルトで締めつけ固定して組み立てられた堅固な船室を台船の上に設置する。���００２０】    上記目的を達成するための第三の解決手段による作用は、台船上に桁複層板と妻複層板と甲板複層板による堅固な船室の室外部縦方向と水平方向の出隅部に、金属板を折り曲げた出隅部材をスクリュ−釘で固定と、室外部と甲板部の全面にプライマ−処理を施して、一層目のポリウレア樹脂又はウレタンウレア樹脂を塗装して硬化させた塗膜面に直接傘クギ又は丸形座金にスクリュ−釘を挿入して室外部と甲板部に打ち込んで固定し、二層目のポリウレア樹脂又はウレタンウレア樹脂を塗装して、傘クギ又は丸形座金とスクリュ−釘を挿んで一層目のポリウレア樹脂又はウレタンウレア樹脂と一体となって硬化した、複層ポリウレア樹脂又はウレタンウレア樹脂の塗膜上に、断熱不燃塗料を塗装して保護し、耐衝撃性能と耐環境性能と耐火性能を大幅に強化させたものである。【００２１】    上記目的を達成するための第四の解決手段による作用は、台船に設置した木の香が漂う船室の桁複層板又は妻複層板に防水扉と防水窓、甲板複層板に室外の脱出口を設置し、室内部に高齢者介護用のトイレと洗面台と浴槽などの衛生設備と介助用の電動ベットと電動移動介助装置などの介助用機器を設置し、天井部にＡＩスビ−カ−カメラなどの観察装置を設置し、高齢者の腕に健康状態を測定するウエアラブル端末を装着してＩｏＴに接続することで、家族が職場に勤務しながらスマ−トホンで高齢者の状況を把握することができるため、高齢者の身体に何かがあると、在宅医療支援病院及び在宅介護サ−ビス支援業者と密接に連携して対応できるため、安心して高齢者の在宅介護が出来ることで、在宅介護を理由とした家族の離職を防ぎ、津波や洪水警報野発令時には、家族や近隣住民を収容して保護し、被災時には直ちに浮き上がって国民の生命と財産を守ることができた。
【考案の効果】
【００２２】    本考案で得られる効果は以下に示す通りである。息災延命浮揚箱の強靱化と軽量化と低価格化を図り、土地に定着した不動産でなく浮揚するため動産扱いで確認申請等の手続きが不要で、自宅の空き地に設置して高齢者が終の住処として居住する。津波や洪水警報の発令時は、家族や近隣の住民が息災延命浮揚箱の中に避難して待機し、津波や洪水の被災時は、浮力により直ちに浮揚するため溺れて死ぬことが無い。地震による落下物やＪアラ−ト警報後に上空からミサイル破片の落下による衝撃に耐えられる、防災シェルタ−としての性能を備えて、国民の生命と財産を守り、健康を維持することができた。【００２３】    耐防災構造の息災延命浮揚箱は、高齢者が終の住まいとして居住し、水害時には被災者を収容して浮揚し、海上を漂流中に船舶や燃える浮遊物に衝突しても破壊や延焼せず、浮揚して漂流中に津波を被っても飲料水タンクのバラスト効果で沈没せず、視認性が良いインタ−ナショナルオレンジ色の滑り止めが施された甲板で、波間を漂い溺れている被災者の水難救助活動と収容者の一時待機場所として使用し、上空から捜査中の航空機から早く発見されて救助される。また、息災延命浮揚箱が一切破損しないため、被災後は曳航して陸地に設置し、電力と給排水の接続だけで、住居として使用することができた。【００２４】    未曾有の天変地異により、今後３０年以内に発生することが予想されている南海トラフ地震が起因する大津波、異常気象による集中豪雨の発生に伴う河川の氾濫による洪水、台風による高潮などの大規模な風水害が発生した被災地で緊急に必要とされる、被災者の救護収容施設・避難収容施設・高齢者介護施設などの災害復旧資材として備蓄保管して、地震・津波・洪水などの被災後、息災延命浮揚箱の飲料水タンクに飲料水を満たして被災地に運搬し清潔な飲料水として給水できた。また、直ちに施設として使用きた。【００２５】    急速に高齢化が進行して介護が必要な高齢者の増加に比べ、介護施設が大幅に不足して自宅で介護をせざるを得ない状況である。自宅での介護は、家族の体力的消耗や精神的負担、衛生設備の改修やヒ−トショツク対策が必要でその費用高額であった。息災延命浮揚箱を自宅に設置し、室内に介護用衛生設備、介護装置、ＡＩスピ−カ−、ＡＩカメラ、高齢者の腕に健康状況を把握するウェアラブル端末を装着してＩｏＴに接続し、家族が職場に勤務しながらスマホで観察し、何かがあると、在宅医療支援病院、介護サ−ビス支援業者と密接に連携して対応するため安心して在宅介護ができるため、現在介護を理由に年間１０万人前後発生している、在宅介護による家族の離職を防ぐことができた。【００２６】    息災延命浮揚箱に、スギやヒノキによる独特の色艶とヒノキチオ−ルの芳香が漂う爽やかな森林浴雰囲気と高断熱で湿度調節機能を有した健康的な室内環境のため、メンタルヘルス分野のサイコセラピ−治療室や音響療法治療室などに使用できた。更に、東京オリンビックや大阪万博で海外からの観光客増加による宿泊室の不足に対応するため、一般住宅の民泊が奨励されてるが、一般住宅は宿泊施設として安全性や防火対策が不備である。災延命浮揚箱の室内に浴室・洗面・トイレ等の衛生設備、火災報知機や消���設備を完備して旅館業法の基準を全て満たした、衛生的で安全な宿泊施設として提供できた。【００２７】    息災延命浮揚箱の船室を構成する主要材料に、中山間地域の山林内に放置されたスギ及びヒノキの間伐材を搬出して大量に使用するエコシステムを確立することで地域の住民に現金収入が得られる。息災延命浮揚箱の製造でも、地域で先達の木工経験者による指導で未経験の若者・婦女子・地域の高齢者などが習得した日曜大工程度の木工技術で、汎用の電動工具を使用して安全に製造できるため、過疎化と高齢化が急速に進行している中山間地域に、都市の若者や健康な高齢者が移住して、息災延命浮揚箱の製造に従事しながら、地域の社会活動に積極的に参加し、地域に溶け込んで多世代と交流することで中山間地域を活性化することができる。地方創生による地域資源を有効に活用した新規な木材産業の創出により、中山間地域を再生することができた。【００２８】    中山間地域の山林で立木の段階から、立木を育成管理する間伐作業を計画的に行い、伐採したスギ・ヒノキ間伐材を搬出して、製材所で間伐材を角材や板材に製材して乾燥、角材や板材を用いて息災延命浮揚箱を製造し、消費者の手に届くまでのサプライチェ−ン改革を図り、中山間地域の山林でスギ・ヒノキを間伐して搬出し、製材し乾燥して製品に使用し、植林する循環による山林の維持管理で、山林内の腐葉土が増え、山林の持つ水資源の涵養能力を大幅に向上させて日本国土の強靱化を図り、山林を再生にできた。【００２９】    日本が京都議定書で約束した二酸化炭素６％の削減目標の達成は、逆に８％も増加し２００８年から２０１２年の間に１４％も削減しなければならない。山林では、間伐材を伐採して苗木を植える維持管理の循環で森林吸収による二酸炭素の削減計画が挫折した。山林で伐採した間伐材の利用方法が無いため、バイオマス発電の奨励による焼却で、逆に二酸化炭素が増加している。息災延命浮揚箱を製造する新規産業による地域再生により、国土面積の約三割を占めるスギやヒノキの人工林の山林内に放置されている、未利用な地域資源である間伐材を伐採し里山に搬出して使う→植える→育てる→伐採する→使うという好循環する息災延命浮揚箱を造るエコシステムを構築することで、持続可能な循環型社会が形成されるため、地球環境の温暖化防止に貢献することができた。
【図面の簡単な説明】
【００３０】
【図１】  本考案に於ける息災延命浮揚箱の台船部の斜視図である。
【図２】  同考案図１のＡ−Ａに沿って切断した平面図である。
【図３】  同考案図１のＢ−Ｂに沿って切断した断面図である。
【図４】  同考案に於ける息災延命浮揚箱の斜視図である。
【図５】  同考案の台船部と壁面部と甲板部との組立図である。
【図６】  同考案図４のＡ−Ａに沿って切断した断面図である。
【図７】  同考案図４のＢ−Ｂに沿って切断した平面図である。
【図８】  同考案に於ける一実施形態を示す断面図である。
【考案を実施するための形態】
【００３１】    以下に、本考案に係わる実施形態を図面に基づき詳細に説明する。但し、以下に述べる実施形態には、本考案を実施するために技術的に好ましい様々の限定が付されている。尚、本考案の実施形態によりこの考案が限定されるものでない。また、以下実施例における構成要素には、置換可能でかつ容易なものや実質的に同一なものが含まれる。
【実施例１】
【００３２】    息災延命浮揚箱下側の台船３の構造を図１、図２、図３で説明する。舷側板３０と舷渡板３１は（例えば、１５２４ｍｍ×６０９６ｍｍで厚さ６ｍｍの厚鉄板を３枚に切断して。）Ｌ字形で４００ｍｍ×１０８ｍｍに折り曲げた舷側板３０を平行に配置して直交する方向で両端に同一形状の舷渡板３１を配置して、船底部９に船底梁３３（例えば、平鉄の６ｍｍ厚で３８ｍｍ。）を舷側板３０と平行に配置して両端を舷側板３０に溶接し、舷渡板３１と船底梁３３の間、船底梁３３相互間を連結する平鉄の間張材１６は（例えば、平鉄の６ｍｍ厚で３８ｍｍ。）を舷側板３０と平行に配置して溶接し、船底部９の船倉５を塞ぐ船底鉄板３４（例えば、１２１９ｍｍ×２４３８ｍｍで厚さ２。）で塞いで溶接し、底鉄板３４の上に、平鉄の縦繋材２１を縦方向に配置して小型形鋼の竜骨材３５（例えば、５ｍｍ厚で３０ｍｍ×３０ｍｍ。）を配置して上床鉄板３６（例えば、１２１９ｍｍ×２４３８ｍｍで厚さ２。）で塞いで溶接して転覆防止用の飲料水タンク２０を設けた二重船底構造の強固な台船３が建造される。更に、溶融亜鉛メッキ処理により海水による耐腐食性能を向上させる。【００３３】    また、台船３に用いる船底梁３３と竜骨材３５並びに間張材１６と縦繋材２１の使用する本数は、用途や設置する場所に応じて任意に増設でる。台船３の大きさは、国際規格の一般貨物コンテナＪＩＳＺ１６１８−１９７９規格に準じて、設置場所や用途により長さ６ｍから８ｍ以下、幅２．５ｍ、高さ２，７ｍ以下で、台船３が海上に浮揚して安全に漂流できる船底部９から３０ｃｍ前後以上の満水喫水線３８が確保されている。更に海面を漂流中に衝突や船底が座礁しても破損しない二重船底構造のため、台船３からは一切浸水しない構造である。息災延命浮揚箱１を車両に積載した総高は３，８ｍ以下で総重量４屯以内に全ての設備機器を備え、普通免許の４屯車で搬送することができる。
【実施例２】
【００３４】    台船３上に設置する船室４の主要材料である桁複層板１０、妻複層板１１、甲板複層板１２、床集積板１３に用いるスギ及びヒノキを用いた集成板２７の製造方法は、山林内放置のスギ及びヒノキの間伐材を搬出して、スギ及びヒノキを板材に製材し含水率１２％前後まで乾燥させた後、木材接合プレスにスギやヒノキの板材の片側に溝ホゾ凹部を反対側に板ホゾ凸部を配置して、片側の溝ホゾ凹部に接着材３２（例えば、酢酸ビニ−ル系、水性高分子イソシアネ−ト系など。）を塗布して板材反対側の板ホゾ凸部を挿入する幅はぎ接合工程を繰り返して積み重ねて、木材接合プレスの上下から加圧と同時に前後から加圧して曲がりや反りを矯正し、接着材が硬化して集成板２７が製造される。尚、板材の溝ホゾ凹部や板ホゾ凸部は限定されず、省略して接合しても使用することができる。【００３５】    スギ又はヒノキの集成板２７と断熱材２８と金属板２９の接合部を接着した複層の製造方法は、木材接合プレスにスギ及びヒノキの集成板又は積層合板２７を設置し、接着材３２（例えば、酢酸ビニ−ル系、水性高分子イソシアネ−ト系など。）を塗布して断熱板２８（例えば、ポリウレタンフォ−ム系、ポリスチレンフォ−ム系など。）を積み重ねて更に接着材３２を塗布して、金属板２９（例えば、厚さ０，５ｍｍ前後の薄鉄板。）を積み重ねて、木材接合プレスで上下から加圧して接着材が硬化することで、集成板又は積層合板２７と断熱材２８と金属板２９とが一体となって強固に接着された桁複層板１０、妻複層板１１、甲板複層板１２が製造される。尚、積層方法は限定されず、金属板２９と断熱材２８と金属板２９とを積み重ねて接着し製造することもできる。【００３６】    接着剤を用いないでポリウレタン発泡剤を注入して製造する、スギ又はヒノキの積層合板を用いた複層板の製造法は、複層板成形型枠の中で、片側にプライマ−処理した積層合板２７を配置し、断熱板２８を発泡する発泡空間を開けて、反対側にプライマ−処理した金属板２９（例えば、厚さ０，５ｍｍ前後の薄鉄板。）を配置する、又は両側にプライマ−処理した金属板２９を発泡空間を開けて配置し、発泡空間にポリウレタンフォ−ムと発泡剤を添加して加圧注入し発泡させながら双方を接合させることで、積層合板２７と金属板２９又は両側の金属板２９との間にポリウレタンフォ−ムの断熱板２８が一体となって接着された桁複層板１０、妻複層板１１、甲板複層板１２が製造される。【００３７】    息災延命浮揚箱１は図８のように津波や洪水などの水害に被災して浮揚しても、海上を安全に漂流できるよう、船底部９から４０ｃｍ以上の満水喫水線６０が確保された二重底構造の台船３上に強固な船室４を設置する。息災延命浮揚箱１は断面図６右側のように、台船３の両側の舷側板３０から縦方向に接続する桁複層板１０の下側と、前後の舷渡板３１から縦方向に接続する妻複層板１２の下側との接合は、舷側板３０と舷渡板３１の室内部７側の側面に１２ｍｍ前後のボルト４０を汎用熔接機を用いて溶接固定する。また、断面図左側のように、桁複層板１０と妻複層板１１の下側部にボルト４０を挿入する１２ｍｍ前後の抜き孔１７を穿つて設け、桁複層板１０と妻複層板１１の接合面に接着剤３２を��布して貫通孔１７にボルト４０を挿入して突き出し、平鉄に１２ｍｍ前後の抜き孔１７を穿つた固定部材２２の接合面に接着剤３２を塗布して、突き出たボルト４０に固定部材２２を挿入してナット４４による締結と接着剤３２との併用により強固に固定する。【００３８】    他の舷側板３０と桁複層板１０並びに舷渡板３１と妻複層板１１の固定方法として、息災延命浮揚箱１の断面図６右側のように、舷側板３０と舷渡板３１の室外部６の側面に９ｍｍ前後のコ−チボルト４１を挿入する９ｍｍ前後の抜き孔１７を穿ち、室内部７側に配置する桁複層板１０及び妻複層板１１の下側の接合面に接着剤３２を塗布して、舷側板３０及び舷渡板３１室外部６の側からにコ−チボルト４１を挿入し締結することで、コ−チボルト４１による締結と接着剤３２との併用により強固に固定する。【００３９】    台船３の両側の桁複層板１０と前後の妻複層板１１の四隅を接合した船室４の壁面の接合を斜視図４のＢ−Ｂ線で切断した平面図７の右側で説明する、左右の桁複層板１０両端と接合する前後の妻複層板１１両端の桁複層板１０との接合部に接着剤３２を塗布して固定し、室内部７の桁複層板１０と妻複層板１１の縦方向の四隅に、等辺山形鋼（例えば３ｍｍ厚３０ｍｍ×３０ｍｍ。）にコ−チボルト４１を挿入する９ｍｍ前後の抜き孔１７を穿った結合部材２３の接合面に接着剤３２を塗布して、室内部７側から結合部材２３の抜き孔１７を介してコ−チボルト２６による締結と接着剤３２を併用した固定で、桁複層板１０と妻複層板１１四隅の縦方向を強固に固定する。他の固定方法として、図７平面図の右側で説明する、桁複層板１０と妻複層板１１の側面にボルト４８の頭を挿入する挿入する４０ｍｍ前後の丸座と１２ｍｍ前後の抜き孔１７を穿ち、室外部６側から桁複層板１０と妻複層板１１の孔を介して１２ｍｍ前後のボルト４０を挿入して桁複層板１０と妻複層板１１から室内部７に突き出し、連結部材２３の接合面に接着剤３２を塗布して出たボルト４０に連結部材２３を挿入しナット４４による締結と接着剤３２を併用して強固に固定する。【００４０】    桁複層板１０と妻複層板１１の上に甲板複層板１２の接合は、縦面方向Ａ−Ａ線に沿って切断した図３の縦断面図のように、左右の桁複層板１０と前後の妻複層板１１の上端に接着材３２を塗布し甲板複層板１２を重ねて接着し、室内部７側の桁複層板１０と妻複層板１１と甲板複層板１２の接合する位置に設置する連結部材２３に接着剤３２を塗布して、等辺山形鋼（例えば３ｍｍ厚３０ｍｍ×３０ｍｍなど。）にコ−チボルト４１を挿入する９ｍｍ前後の貫通孔を穿った結合部材２３の孔を介してコ−チボルト４１を挿入た締結で強固に固定する。他の固定方法として、室外部６側からボルト４０を挿入する３５ｍｍ前後の丸座と１２ｍｍ前後の貫通孔を穿ち、桁複層板１０と妻複層板１１甲板複層板１２の孔を介して、１２ｍｍ前後のボルト４０を挿入して突き出し、結合部材２３に接着剤３２を塗布して挿入し、突き出したボルト４０をナット３５の締結と接着剤３２を併用して固定する。
【実施例３】
【００４１】    息災延命浮揚箱１の耐衝撃性と耐環境性と耐火性の強化方法は、図４の台船３の上に設置した船室４の桁複層板１０と妻複層板１１と甲板複層板１２の室外部の縦四方向と水平四方向の出隅部を覆う出隅部材２４は（例えば０．５ｍｍ厚３０ｍｍ×３０ｍｍなど。）をＬ字形に折り曲げてスクリュ−釘４９を打ちこんで固定することで船室４の全面が金属板２９で覆われる、室外部６の全面にプライマ−４２処理を施して、一層目のポリウレア又はウレタンウレア樹脂１８を塗装して硬化した塗膜の上から、傘クギ２６又は丸座金３３を介してスクリュ−釘２９で一層目の塗膜を室外部６に固定し、傘クギ２６又は丸座金３３とスクリュ−釘４９の上から二層目のポリウレア樹脂又はウレタンウレア樹脂１８を塗装して傘クギ２６又丸座金３３とスクリュ−釘２９を挿んで一層目の塗膜と一体となって硬化した複層ポリウレア樹脂塗膜又はウレタンウレア樹脂塗膜３７の上に、断熱塗料４３を塗装するこで、耐衝撃性能と耐環境性能と耐火性能の大幅な強化を図ることができる。
【実施例４】
【００４２】    息災延命浮揚箱１の室内の状況を図８で詳細に説明する。室内部７に介護用のトイレ５１、洗面台５２、浴室５６などの衛生設備と、電動ベット５３、電動移動介助装置５５等の介護機器を設置し、天井部１５にＡＩスビ−カ−カメラ５７等の通信機器を設置し、高齢者４７の腕には健康状態を測定するウエアラブル端末を装着してＩｏＴに接続することで、家族が職場に勤務しながらスマ−トホンで高齢者の状況を観察することができるため、高齢者の身体に何かがあると、在宅医療支援病院及び在宅介護サ−ビス支援業者並びに警備業者と密接に連携して対応できるため、安心して高齢者の在宅介護が出来ることにより、現在年間１０万人前後発生していると言われる、高齢者４７の在宅介護を理由とした、家族の離職を大幅に防ぐことができる。【００４３】
0003216207.tif 000003
で１屯前後のバラスト効果による復元力と浮力による満水喫水線６０が確保され、海面を漂流中に津波や横波を受け傾斜しても転覆して沈没することが無い。また、海面を漂流中には船室４天井部１５の脱出口５９から、視認性ある国際規格のインタ−ナショナルオレンジ色の断熱不燃塗料４３で滑り止め処理された甲板部８に上がり、波間を漂う被災者の水難救助活動や被災者の一時待機の場所として利用し、上空から捜査中の救難機から素早く発見されて救助される。津波や洪水など水害の被災時は直ちに水面に浮き上がるため、船室４に収容した高齢者や家族、収容した国民の生命や財産を守ることができる。
【産業上の利用可能性】
【００４４】    国内の刑務所では六万人前後の男性受刑者が、懲役刑のために警務官の指導により、改善更生しながら円滑に社会復帰するための処遇方策として、身体の健康を維持し勤労精神を養成しながら一部の受刑者は、木工関連の職業的知識および技能習得を目的として刑務作業に従事している。刑務作業で息災延命浮揚箱１を造り、習得した木工知識と技能の付与により受刑者の円滑な社会復帰を促進させる。また受刑者が一般社会に復帰した後、息災延命浮揚箱１を造る、作業に携わることで現金収入が得られ経済的に安定するため、更生が促進されることで、受刑者の再犯罪を防止することができる。
【符号の説明】
【００４５】  １  息災延命浮揚箱                ３２  接着剤
３  台船                          ３３  船底梁
４  船室                          ３４  船底鉄板
５  船倉                          ３５  竜骨材
６  室外部                        ３６  上床鉄板
７  室内部                        ３７  復層ポリウレア樹脂
８  甲板部                              又はウレタンウレア樹脂
９  船底部                        ３８  満水喫水線
１０  桁複層板                      ３９  甲板ガ−ド
１１  妻複層板                      ４０  ボルト
１２  甲板複層板                    ４１  コ−チボルト
１３  床集積板                      ４２  プライマ−
１４  壁板                          ４３  断熱不燃塗料
１５  天井部                        ４４  ナット
１６  間張材                        ４５  ポリウレタン発泡剤
１７  抜き孔                        ４６  丸形座金
１８  ポリウレア樹脂                ４７  高齢者
又はウレタンウレア樹脂        ４８  傘釘
２０  飲料水タンク                  ４９  スクリュ−釘
２１  縦繋材                        ５０  防水扉
２２  固定部材                      ５１  トイレ
２３  連結部材                      ５２  洗面台
２４  出隅部材                      ５３  電動ベット
２５  床受材                        ５４  防水窓
２７  集成板又は積層板              ５５  電動移動介助装置
２８  断熱板                        ５６  浴槽
２９  金属板                        ５７  Ａｉスピ−カ−カメラ
３０  舷側板                        ５９  脱出口
３１  舷渡板                        ６０  満水喫水線
【図１】
0003216207.tif 000004
【図２】
0003216207.tif 000005
【図３】
0003216207.tif 000006
【図４】
0003216207.tif 000007
【図５】
0003216207.tif 000008
【図６】
0003216207.tif 000009
【図７】
0003216207.tif 000010
【図８】
0003216207.tif 000011
【手続補正書】
【提出日】平成30年2月22日(2018.2.22)
【手続補正１】
【補正対象書類名】実用新案登録請求の範囲
【補正対象項目名】全文
【補正方法】変更
【補正の内容】
【実用新案登録請求の範囲】
【請求項１】
鋼板をＬ形に折り曲げた二本の舷側板（３０）を平行に配置して、直交する方向で両端に舷渡板（３１）を配置して、船底部（９）の側に平鉄の船底梁（３３）を前記舷渡板（３１）と平行に配置し、前記舷渡板（３１）と前記船底梁（３３）との間、並びに前記船底梁（３３）相互の間を連結する平鉄の間張材（１６）を配置し、船底部（９）を船底鉄板（３４）で塞いで溶接して台船（３）の外枠を構成し、
前記台船（３）の高さ１／４前後の船倉（５）内の位置で、前記舷側板（３０）と前記舷渡板（３１）の水平方向に山形鋼の床受材（２５）を、前記舷側板（３０）と平行に山形鋼の竜骨材（３５）、前記舷渡板（３１）と平行に平鉄の間張材（１６）を配置し、前記船底梁（３３）と前記竜骨材（３５）の間を山形鋼の縦繋材（２１）で繋いで、息災延命浮揚箱（１）の転覆防止を兼ねる飲料水タンク（２０）となる空間部を設けて上床鉄板（３６）で塞いで溶接することで二重船底構造とし、全体に防錆用の溶融亜鉛メッキ処理を施した台船（３）の上に船室（４）を設置したことを特徴とする息災延命浮揚箱。
【請求項２】
スギ・ヒノキの集成板又は直交集成板（２７）と断熱板（２８）と金属板（２９）との接合部に接着剤（３２）を塗布し圧締して接着した桁複層板（１０）と妻複層板（１１）と甲板複層板（１２）、若しくはスギの積層板（２７Ａ）と前記金属板（２９）との間又は前記金属板（２９）相互の間にポリウレタン発泡剤（４５）を注入して発泡させて接着した前記桁複層板（１０）と前記妻複層板（１１）と前記甲板複層板（１２）とで構成される前記船室（４）は、
前記舷側板（３０）と前記桁複層板（１０）並びに前記舷渡板（３１）と前記妻複層板（１１）の水平方向の固定は、前記舷側板（３０）と前記舷渡板（３１）の室内部（７）にボルト（４０）を溶接し、前記桁複層板（１０）と前記妻複層板（１１）下側の接合部に前記ボルト（４０）を挿入する抜き孔（１７）を穿ち、前記接着剤（３２）を塗布し前記ボルト（４０）に挿入して突き出し、平鉄に抜き孔（１７）を穿った固定部材（２２）に前記接着剤（３２）を塗布し、前記固定部材（２２）を挿入しナット（４４）を締めつけて固定、又は前記舷側板（３０）と前記舷渡板（３１）に抜き孔（１７）を穿ち、前記接着剤（３２）を塗布し、前記舷側板（３０）と前記舷渡板（３１）の室外部（６）からコ−チボルト（６６）で締めつけた固定と、
前記桁複層板（１０）両端と前記妻複層板（１１）両端の縦方向の固定は、前記桁複層板（１０）と前記妻複層板（１１）の接合部に前記接着剤（３２）を塗布し、前記室内部（７）縦方向に山形鋼に前記抜き孔（１７）を穿った連結部材（２３）に前記接着剤（３２）を塗布しコ−チボルト（６６）で締めつけた固定と、
前記桁複層板（１０）と前記妻複層板（１１）の上端と前記甲板複層板（１２）下側縁部との水平方向の固定は、前記桁複層板（１０）と前記妻複層板（１１）の接合部に前記接着剤（３２）を塗布して、前記室内部（７）上面水平方向に前記連結部材（２３）に前記接着剤（３２）を塗布して配置し、前記コ−チボルト（６６）で締めつけ固定して組み立てられた前記船室（４）を前記台船（３）の上に設置したことを特徴とする請求項１記載の息災延命浮揚箱。
【請求項３】
前記台船（３）上に前記桁複層板（１０）と前記妻複層板（１１）と前記甲板複層板（１２）で組み立てられた前記船室（４）の室外部（６）の縦方向と水平方向の出隅部に金属板を折り曲げた出隅部材（２４）にスクリュ−釘（４９）を打ち込んで固定し、
前記室外部（６）と甲板部（８）の全面にプライマ−（４２）処理を施して、一層目のタフポリマ−を配合したポリウレア樹脂又はウレタンウレア樹脂（１８）を塗装して硬化した塗膜面に直接傘クギ（４８）又は丸形座金（４６）に前記スクリュ−釘（４９）を挿入して前記室外部（６）と前記甲板部（８）に打ち込んで固定し、
二層目のタフポリマ−を配合したポリウレア樹脂又はウレタンウレア樹脂（１８）を塗装して前記傘クギ（４８）又は前記丸形座金（４６）と前記スクリュ−釘（４９）を挿んで前記一層目のポリウレア樹脂又はウレタンウレア樹脂（１８）と一体となって硬化した、複層ポリウレア樹脂又はウレタンウレア樹脂（３７）の塗膜上に、断熱不燃塗料（４３）を塗装して保護し、耐衝撃性能と耐環境性能と耐火性能を大幅に強化させたことを特徴とする請求項２記載の息災延命浮揚箱。
【請求項４】
前記船室（４）の前記桁複層板（１０）又は前記妻複層板（１１）に防水扉（５０）と防水窓（５４）、前記甲複層板（１２）に脱出口（５９）を設置し、室内部（７）には高齢者（４７）用のトイレ（５１）と洗面台（５２）と浴槽（５６）の衛生設備、介護用の電動ベット（５３）と電動移動介助装置（５５）の介助用機器を設置し、
天井部（１５）にはＡＩスピ−カ−カメラ（５７）や通信装置を設置し、前記高齢者（４７）の腕に健康状態を測定するウエアラブル端末を装着してＩｏＴに接続し、前記高齢者（４７）の状況を把握し、前記高齢者（４７）の身体に何かがあると、在宅医療支援病院及びに在宅介護サ−ビス支援業者と密接に連携して対応し、
津波や洪水警報の発令時は、前記息災延命浮揚箱（１）の前記船室（４）内に家族や近隣住民を収容し、津波や洪水の被災時は前記息災延命浮揚箱（１）が水面へ浮揚し、
浮揚中の甲板部（８）では波間を漂う被災者の水難救助活動や一時待機場所に使用することを特徴とする請求項２又は請求項３に記載の息災延命浮揚箱。